(57)【要約】【課題】  記録媒体の無駄及び記録媒体の搬送中の負荷変動に起因する画像悪化を防止しつつ、複数のカラー画像を記録する場合のプリンタの処理能力を向上させると共に、切断部によって切断されたカット屑を適正に廃棄する。【解決手段】  用紙供給部４０から巻き解かれた用紙を印字部７０のサーマルヘッド７１ａ〜７３ａに対向させつつカラー画像の印字を行わないで搬送方向下流側に向かって搬送する。そして、１オーダーに含まれる複数のカラー画像の全てを印字可能な長さの用紙が印字部７０よりも搬送方向下流側に搬送された時点で、用紙の搬送を停止する。その後、印字部７０よりも搬送方向上流側に配置された搬送ローラ対３４によって、用紙を搬送方向上流側に向かって逆送させながら、印字部７０のサーマルヘッド７１ａ〜７３ａによって複数のカラー画像を連続して印字する。切断部５０における切断位置の搬送方向上流側及び搬送方向下流側に通路５７、５８を設けて、切断されたカット屑を切りくずボックス５３に落下させる。【選択図】図２
2006082244.tif 000002
【特許請求の範囲】
【請求項１】
記録媒体に画像を記録可能な画像記録部と、
長尺の記録媒体を貯留した供給部と、
記録媒体を前記画像記録部に対向させつつ前記供給部から前記画像記録部に向かう第１の方向と、前記第１の方向と反対方向である第２の方向とに搬送可能な搬送機構と、
前記搬送機構によって搬送される記録媒体を支持する支持機構と、
前記支持機構によって支持されつつ搬送される記録媒体を切断可能な切断機構と、
記録媒体の先端が前記画像記録部から前記第１の方向に離れた位置に達するまで記録媒体が前記第１の方向に搬送された後に前記第２の方向に搬送されるように、前記搬送機構を制御する搬送制御手段と、
前記搬送機構によって前記第２の方向に搬送されている記録媒体に前記画像記録部によって複数の画像が記録されると共に、各画像の上流側及び下流側に廃棄領域が形成されるように、前記画像記録部を制御する画像記録制御手段と、
記録媒体が各画像と廃棄領域との境界において切断されるように、前記切断機構を制御する切断制御手段とを備えており、
前記支持機構には、前記切断機構の上流側及び下流側において、廃棄領域に対応した記録媒体が搬送経路から外れる方向に通過する通路がそれぞれ設けられていることを特徴とするプリンタ。
【請求項２】
前記搬送機構は、前記供給部と前記画像記録部との間において記録媒体に搬送力を付与することによって、記録媒体を前記第２の方向に搬送可能であることを特徴とする請求項１に記載のプリンタ。
【請求項３】
前記切断機構によって切断された後で前記通路を通過した廃棄領域に対応した記録媒体を収納する収納部材をさらに備えていることを特徴とする請求項１または２に記載のプリンタ。
【請求項４】
前記切断機構は、前記搬送機構による搬送経路に対して前記支持機構側に固定配置され且つ可動刃との相互作用によって記録媒体を切断可能な固定刃を有しており、
前記固定刃の先端部における前記可動刃と反対側の部分には面取りが施されていることを特徴とする請求項１〜３のいずれかに記載のプリンタ。
【請求項５】
複数の画像の上流側及び下流側に廃棄領域が形成された記録媒体を搬送可能な搬送機構と、
前記搬送機構によって搬送される記録媒体を支持する支持機構と、
前記支持機構で支持されつつ搬送される記録媒体を切断可能な切断機構とを備えており、
前記支持機構には、前記切断機構の上流側及び下流側において、廃棄領域に対応した記録媒体が搬送経路から外れる方向に通過する通路がそれぞれ設けられていることを特徴とする記録媒体搬送装置。
【発明の詳細な説明】
【技術分野】
【０００１】
本発明は、画像を記録媒体上に記録するプリンタ及び記録媒体を搬送する記録媒体搬送装置に関するものである。
【背景技術】
【０００２】
カラー画像を記録媒体上に記録可能なプリンタについては、種々の技術が知られている。例えば、特許文献１には、イエロー、マゼンタ、シアンの各色をそれぞれ個別に記録可能な３つのサーマルヘッドを備えており、記録紙ロールから引き出された記録紙を給紙方向に搬送しながら３つのサーマルヘッドでカラー画像を記録する１パス方式のカラーサーマルプリンタが開示されている。
【０００３】
また、特許文献２には、３パス方式のカラーサーマルプリンタが開示されている。かかるプリンタでは、記録紙ロールから引き出された１コマ分の長さのカラー感熱記録紙が１つのサーマルヘッドに対向するように送り出された後で引き戻されながらイエロー画像が記録され、その後、記録紙の送り出しと引き戻しが交互に行われて、２回目の引き戻し時にマゼンタ画像の記録が行われ、３回目の引き戻し時にシアン画像の記録が行われる。
【０００４】
また、特許文献３には、イエロー、マゼンタ、シアンの３つのサーマルヘッドを備えており、記録紙ロールから引き出された記録紙を給紙方向に搬送して印画準備を完了した後に、記録紙を引き戻し方向に搬送しながら１コマのカラー画像を記録する１パス方式のカラーサーマルプリンタが開示されている。かかるプリンタでは、１コマのカラー画像が記録されると、記録紙は再び給紙方向に搬送されてカラー画像の後端部で切断される。そして、カラー画像が記録された記録紙は排紙されると共に、印画準備が完了した記録紙を引き戻し方向に搬送しながら次の１コマのカラー画像が記録される。
【特許文献１】特開平８−１７４８７６号公報
【特許文献２】特開平９−９９５７２号公報
【特許文献３】特開２００１−２４６７６９号公報
【発明の開示】
【発明が解決しようとする課題】
【０００５】
特許文献１に記載のプリンタでは、記録紙を往復搬送しなくても、記録紙を一方向に搬送するだけでカラー画像を記録することができる。しかしながら、かかるプリンタにおいて、３つのサーマルヘッドをそれらの印字位置に記録紙が到達したものから順に記録紙に圧接させた場合には、記録紙の搬送中の負荷変動に起因して画像が悪化することがある。従って、かかるプリンタでは、画像の悪化を防止するために、３つのサーマルヘッドの全てを記録紙に圧接させた後でカラー画像の記録が開始される。そのため、記録紙の先端近傍つまり記録紙の先端から給紙方向について最も上流側のサーマルヘッドと最も下流側のサーマルヘッドとの間の長さの部分が、両サーマルヘッド間に掛け渡された状態でカラー画像の記録が開始される。このため、記録紙の掛け渡された長さ部分は画像が形成されず、余白部となり無駄になるという問題がある。
【０００６】
一方、特許文献２及び特許文献３に記載のプリンタでは、記録紙の先端近傍に対してもカラー画像を記録することができるので、記録紙が無駄になるのを抑制することができる。ここで、特許文献３に記載のプリンタでは、記録紙が引き戻し方向に搬送されるときには３つのサーマルヘッドは全て記録紙に圧接されているので、記録紙の搬送中の負荷変動に起因して画像が悪化することはほとんどない。
【０００７】
しかしながら、特許文献２のプリンタでは、１コマのカラー画像を記録するために記録紙の送り出し及び引き戻しを３回繰り返す必要がある。また、特許文献３のプリンタでは、１コマのカラー画像ごとに、記録紙の送り出し及び引き戻しを１回行う必要がある。従って、これらのプリンタにおいて、複数コマのカラー画像を記録するためには、記録紙の往復搬送を数多く繰り返さなければならない。
【０００８】
ここで、特許文献２及び特許文献３のプリンタでは、記録紙ロールとサーマルヘッドとの間に搬送ローラ対が配置されており、この搬送ローラ対の駆動方向を切り換えることによって、記録紙の搬送方向が給紙方向及び引き戻し方向のいずれかに変更される。従って、複数のｍコマ（ｍは２以上の整数）のカラー画像を記録するためには、特許文献２のプリンタでは記録紙を３ｍ回往復搬送しなければならず、搬送ローラ対の駆動方向を（６ｍ−１）回だけ切り換える必要があり、特許文献３のプリンタでは記録紙をｍ回往復搬送しなければならず、搬送ローラ対の駆動方向を（２ｍ−１）回だけ切り換える必要がある。
【０００９】
このように、搬送ローラ対の駆動方向が切り換えられる場合、その切り換えに基づく時間的な搬送ロスが生じてしまう。従って、搬送ローラ対の駆動方向を切り換える回数が多くなれば、それに伴って時間的な搬送ロスも増加するので、プリンタの処理能力が低下することになる。
【００１０】
また、記録紙に複数の画像が記録される場合には、記録紙の先端部や複数の画像間に余白部が形成されることが多い。従って、記録紙が各画像の端部で切断された場合に、カット屑となる余白部が通過して落下するように、切断刃近傍には記録紙の裏面を支持するガイドが設けられていない。ここで、例えば記録紙を給紙方向に搬送した後で、搬送方向が切り換えられ、引き戻し方向に搬送されつつ、画像の印字及び記録紙の切断が行われる場合を考える。この場合、複数の画像間に形成された余白部は、各画像の後端部（給紙方向上流側の端部）で切断されることによって切り離され、切断刃よりも給紙方向上流側に配置される。そのため、記録紙が各画像の後端部で切断された場合に切り離される余白部は、カット屑が落下する通路が切断刃の給紙方向上流側に設けられていれば、搬送経路から落下することができる。しかしながら、記録紙の先端部に形成された余白部は、記録紙の最も先端側に記録された最終画像の先端部（給紙方向下流側の端部）で切断されることによって切り離され、切断刃よりも給紙方向下流側に配置される。そのため、記録紙が最終画像の先端部で切断された場合に切り離される余白部は、カット屑が落下する通路が切断刃の給紙方向上流側に設けられていても、搬送経路から落下することができない。従って、記録紙が切断された場合に切り離される余白部が、切断刃よりも給紙方向上流側及び下流側の両方に配置される場合には、カット屑が落下する通路が切断刃の両側にそれぞれ設けられているのが望ましい。
【００１１】
そこで、本発明の主な目的は、記録媒体の無駄及び記録媒体の搬送中の負荷変動に起因する画像悪化を防止しつつ、複数の画像を記録する場合の処理能力を向上させることができるプリンタを提供することである。
【００１２】
また、本発明のその他の目的は、切断機構によって切断されたカット屑を適正に廃棄できるプリンタ及び記録媒体搬送装置を提供することである。
【課題を解決するための手段および発明の効果】
【００１３】
本発明のプリンタは、記録媒体に画像を記録可能な画像記録部と、長尺の記録媒体を貯留した供給部と、記録媒体を前記画像記録部に対向させつつ前記供給部から前記画像記録部に向かう第１の方向と、前記第１の方向と反対方向である第２の方向とに搬送可能な搬送機構と、前記搬送機構によって搬送される記録媒体を支持する支持機構と、前記支持機構によって支持されつつ搬送される記録媒体を切断可能な切断機構と、記録媒体の先端が前記画像記録部から前記第１の方向に離れた位置に達するまで記録媒体が前記第１の方向に搬送された後に前記第２の方向に搬送されるように、前記搬送機構を制御する搬送制御手段と、前記搬送機構によって前記第２の方向に搬送されている記録媒体に前記画像記録部によって複数の画像が記録されると共に、各画像の上流側及び下流側に廃棄領域が形成されるように、前記画像記録部を制御する画像記録制御手段と、記録媒体が各画像と廃棄領域との境界において切断されるように、前記切断機構を制御する切断制御手段とを備えており、前記支持機構には、前記切断機構の上流側及び下流側において、廃棄領域に対応した記録媒体が搬送経路から外れる方向に通過する通路がそれぞれ設けられていることを特徴としている。
【００１４】
なお、「記録媒体の先端が前記画像記録部から前記第１の方向に離れた位置に達する」とは、「記録媒体が供給部から画像記録部に向かう第１の方向に搬送されて、記録媒体の先端が画像記録部よりも下流側の位置に到達する」ことを意味している。また、本明細書において、「上流側」及び「下流側」とは、供給部から画像記録部に向かう第１の方向に関するものである。
【００１５】
この構成によると、供給部から画像記録部に向かう第１の方向に記録媒体を搬送した後で第２の方向に搬送される記録媒体に複数の画像を記録することができる。そのため、記録媒体の先端近傍（第１の方向に搬送された後で第２の方向に逆送される記録媒体部分の先端からの領域）に画像を記録可能であると共に、記録媒体の搬送中の負荷変動に起因して画像が悪化するのを抑制することができる。また、複数の画像を記録媒体に記録する場合でも、記録媒体を１往復させるだけでよく、搬送機構における記録媒体の搬送方向を１回切り換えるだけでよいので、搬送方向の切り換えに基づく時間的な搬送ロスを低減できる。その結果、複数の画像を記録媒体に記録する場合において、記録媒体の無駄及び記録媒体の搬送中の負荷変動に起因する画像悪化を防止しつつ、プリンタの処理能力を向上させることができる。
【００１６】
また、廃棄領域に対応した記録媒体が搬送経路から外れる方向に通過する通路が切断機構の上流側及び下流側の両方にそれぞれ設けられているので、記録媒体の先端近傍及び各画像間のそれぞれに形成された廃棄領域が切断されると、その廃棄領域の全てが搬送経路から外れるように移動する。従って、切断機構によって切断されたカット屑となる廃棄領域に対応した記録媒体を搬送経路から取り除いて適正に廃棄することができる。
【００１７】
本発明のプリンタにおいて、前記搬送機構は、前記供給部と前記画像記録部との間において記録媒体に搬送力を付与することによって、記録媒体を前記第２の方向に搬送可能であってもよい。
【００１８】
この構成によると、第２の方向に搬送される記録媒体に複数の画像が記録される際に、記録媒体の搬送中の負荷変動に起因して画像が悪化するのを効果的に抑制することができる。
【００１９】
本発明のプリンタにおいて、前記切断機構によって切断された後で前記通路を通過した廃棄領域に対応した記録媒体を収納する収納部材をさらに備えていてもよい。
【００２０】
この構成によると、切断された後で通路を通過することによって搬送経路から外れた廃棄領域に対応した記録媒体を収納することができるので、カット屑の廃棄を容易に行うことができる。
【００２１】
本発明のプリンタにおいて、前記切断機構は、前記搬送機構による搬送経路に対して前記支持機構側に固定配置され且つ可動刃との相互作用によって記録媒体を切断可能な固定刃を有しており、前記固定刃の先端部における前記可動刃と反対側の部分には面取りが施されていてもよい。
【００２２】
この構成によると、固定刃に対して可動刃と反対側において分割された廃棄領域に対応した記録媒体が通路を通過し易くなる。従って、カット屑が搬送経路から取り除かれなくなるのを抑制することができる。
【００２３】
本発明の記録媒体搬送装置は、複数の画像の上流側及び下流側に廃棄領域が形成された記録媒体を搬送可能な搬送機構と、前記搬送機構によって搬送される記録媒体を支持する支持機構と、前記支持機構で支持されつつ搬送される記録媒体を切断可能な切断機構とを備えており、前記支持機構には、前記切断機構の上流側及び下流側において、廃棄領域に対応した記録媒体が搬送経路から外れる方向に通過する通路がそれぞれ設けられていることを特徴としている。
【００２４】
この構成によると、廃棄領域に対応した記録媒体が搬送経路から外れる方向に通過する通路が切断機構の上流側及び下流側の両方にそれぞれ設けられているので、記録媒体の先端近傍及び各画像間のそれぞれに形成された廃棄領域が切断されると、その廃棄領域の全てが搬送経路から外れるように移動する。従って、切断機構によって切断されたカット屑となる廃棄領域に対応した記録媒体を搬送経路から取り除いて適正に廃棄することができる。
【発明を実施するための最良の形態】
【００２５】
以下、本発明の好適な実施の形態について、図面を参照しつつ説明する。図１は、本発明の実施の形態に係るプリンタの外観斜視図である。図２は、図１のプリンタのプリント部の概略構成を示す図である。図３は、図２のプリント部に含まれる切断機構における切断位置近傍の構成を示す図である。図４は、図１のプリンタの搬送ローラ対及び送り込みローラ対の動作を説明する図である。図５及び図６は、図２のプリント部に含まれるカール除去ローラ対の動作を説明する図である。図７は、図１のプリンタの主要部及びこれらが接続された制御装置についてのブロック図である。
【００２６】
図１に示す熱昇華方式のサーマルプリンタ１（以下、「プリンタ１」と称する）は、操作部１０と、制御装置２０と、プリント部３０とを有している。操作部１０は、オペレータがプリンタ１に対する操作を行うものであって、プリンタ１に関する様々な情報を表示してオペレータに告知するディスプレイ１１を有している。ここで、本実施の形態では、操作部１０にはタッチパネル方式が採用されており、ディスプレイ１０には様々なボタンを含む操作画面１２が表示される。従って、オペレータは、操作画面１２に触れることによってプリンタ１に対する操作を実行することができる。
【００２７】
制御装置２０は、操作部１０からの入力を受信すると共に、プリンタ１における各種の動作を制御するためのものである。また、制御装置２０は、カードスロットやディスクドライブなどの種々の記憶媒体からプリントデータを取得するための複数のデータ入力部２０ａを有している。なお、記憶媒体としては、例えばＣＤ−ＲＯＭ、メモリーカードなど、プリントデータを記憶可能なものであればどのようなものであってもよい。
【００２８】
操作部１０及び制御装置２０は、プリント部３０を収容する筐体３０ａの上面に固定配置されている。ここで、操作部１０のディスプレイ１１の表示面及び制御装置２０のデータ入力部２０ａの記憶媒体挿入面は、プリンタ１（筐体３０ａ）の正面（図１では左手前側の面）とほぼ一致している。従って、プリンタ１の正面に向かうオペレータにとって、ディスプレイ１１及びデータ入力部２１に対する操作が行い易くなっている。
【００２９】
また、筐体３０ａは、略直方体形状を有しており、その横幅（正面の幅）Ｄ１は奥行きＤ２よりも小さくなっている。従って、プリンタ１は、横幅の比較的狭い空間においても設置することが可能である。さらに、筐体３０ａの正面には、筐体３０ａ内に収納された後述するプリントボックス９６を筐体３０ａ外に引き出すための開口９５が形成されている。
【００３０】
プリント部３０は、図２に示すように、筐体３０ａ内に、ロール状に巻回された用紙を保持する用紙供給部４０と、用紙供給部４０から巻き解かれた用紙を巻き取る用紙巻取部８０と、用紙供給部４０と用紙巻取部８０との間で、一方向に湾曲した搬送経路に沿って用紙を搬送可能な搬送機構３８とを有している。また、用紙供給部４０と用紙巻取部８０との間には、搬送経路の上流側から下流側に向かって、切断部５０、オーバーコート部６０及び印字部７０が配置されている。また、用紙供給部４０と切断部５０との間の搬送経路近傍には、プリントボックス９６が設けられている。
【００３１】
なお、本実施の形態では、「用紙の搬送方向（搬送方向）」とは、用紙供給部４０から用紙巻取部８０に向かう方向を意味するものとする。また、「用紙の先端部」及び「画像の先端部」とは、用紙または画像の搬送方向下流側の端部を意味するものとし、「用紙の後端部」及び「画像の後端部」とは、用紙または画像の搬送方向上流側の端部を意味するものとする。
【００３２】
用紙供給部４０は、搬送経路の最上流に設けられたマガジンケース４１を有しており、その中には、長尺の用紙がその印字面が外側になるように回転軸４３の周りに巻回された巻回部４５が装填されている。ここで、回転軸４３は、モータ４３ａ（図７参照）によって、用紙供給部４０から用紙が巻き解かれて搬送方向下流側に向かって搬送される場合には図２において反時計回りに回転駆動され、一旦巻き解かれた用紙が用紙供給部４０に巻き取られる場合には図２において時計回りに回転駆動される。なお、回転軸４３は、後述するワンウェイクラッチ３４ｃ、３５ｃと同様の機能を有するワンウェイクラッチ４３ｃを介して、モータ４３ａにより回転駆動されるシャフト（図示せず）と連結されている。
【００３３】
搬送機構３８は、搬送方向上流側から順に配置されている、用紙供給部４０の巻回部４５から巻き解かれた用紙を上方に向かって搬送可能な給紙ローラ対３１と、切断部５０よりも搬送方向上流側に配置されており上方に向かって搬送される用紙の搬送方向を変更するターンローラ対３２と、切断部５０の上流側近傍に配置されており用紙を圧着可能な第１カール除去ローラ対３６と、切断部５０の下流側近傍に配置されており用紙を圧着可能な第２カール除去ローラ対３７と、印字部７０の搬送方向上流側に配置されており用紙を搬送可能な搬送ローラ対３４と、印字部７０よりも搬送方向下流側に配置されており印字部７０よりも搬送方向下流側に向かって搬送される用紙を用紙巻取部８０の内部に送り込むための送り込みローラ対３５とを有している。
【００３４】
なお、本実施の形態では、給紙ローラ対３１、ターンローラ対３２、送り込みローラ対３５は樹脂製のローラから構成されており、搬送ローラ対３４は金属製のローラから構成されている。また、第１カール除去ローラ対３６及び第２カール除去ローラ対３７は、樹脂製、ゴム製等のローラから構成されており、それらの表面の硬度は硬度２０度よりも大きくなっている。
【００３５】
ここで、給紙ローラ対３１、ターンローラ対３２、第１カール除去ローラ対３６、第２カール除去ローラ対３７、搬送ローラ対３４及び送り込みローラ対３５は、所定半径を有する円周（図２では二点鎖線で描かれている）に沿うように配置されている。なお、図２から分かるように、オーバーコート部６０及び印字部７０のヘッド部６１、７１〜７３も上記円周に沿うように配置されていると共に、用紙供給部４０及び用紙巻取部８０は上記円周の内部に配置されている。
【００３６】
給紙ローラ対３１、第１カール除去ローラ対３６、第２カール除去ローラ対３７、搬送ローラ対３４及び送り込みローラ対３５は、搬送制御部２７ａ（図７参照）によって制御されるモータ３１ａ、３６ｃ、３７ｃ、３４ａ、３５ａ（図７参照）にそれぞれ接続されており、回転駆動可能である。
【００３７】
ここで、第１カール除去ローラ対３６及び第２カール除去ローラ対３７の構成について、図３を参照して説明する。第１カール除去ローラ対３６及び第２カール除去ローラ対３７は、図３に示すように、搬送経路（図３（ａ））では二点鎖線で図示されている）よりも下方に配置された駆動ローラ３６ａ、３７ａと、搬送経路より上方に配置された従動ローラ３６ｂ、３７ｂとをそれぞれ有している。
【００３８】
ここで、従動ローラ３６ｂ、３７ｂの表面の硬度は、駆動ローラ３６ａ、３７ａの表面の硬度よりも大きくなっている。なお、本実施の形態では、駆動ローラ３６ａ、３７ａの表面の硬度は、硬度４０度のゴムローラであり、従動ローラ３６ｂ、３７ｂの表面の硬度は、ロックウェル硬度１２０度の樹脂ローラである。
【００３９】
駆動ローラ３６ａ、３７ａは、その外周面の上端がほぼ搬送経路上に配置されるように回転可能に固定されている。一方、従動ローラ３６ｂ、３７ｂは、カール除去制御部２７ｄによって制御される駆動機構３６ｄ、３７ｄ（図７参照）にそれぞれ接続されている。従動ローラ３６ｂ、３７ｂは、回転可能に支持されていると共に、駆動機構３６ｄ、３７ｄによって、駆動ローラ３６ａ、３７ａに向かう方向にそれぞれ移動可能になっている。従って、従動ローラ３６ｂ、３７ｂは、駆動ローラ３６ａ、３７ａとの間で用紙を圧着する位置（図３（ａ）では実線で示す位置）と、駆動ローラ３６ａ、３７ａとの間で用紙を圧着しない位置（図３（ａ）では破線で示す位置）とを取り得る。
【００４０】
なお、本実施の形態では、駆動ローラ３６ａと従動ローラ３６ｂ、及び、駆動ローラ３７ａと従動ローラ３７ｂは、用紙のカールを除去可能な程度の力で用紙を圧着する圧着状態と、用紙を小さな力で挟持する（用紙のカールを除去可能な程度の力よりも小さい力で用紙を圧着する）接触状態と、互いに離隔する離隔状態とのいずれかの状態を取り得る。
【００４１】
ここで、図３（ｂ）は、用紙が搬送方向下流側に搬送される場合において、用紙の先端近傍が第１カール除去ローラ対３６の駆動ローラ３６ａと従動ローラ３６ｂとに圧着されている様子が図示されている。上述したように、従動ローラ３６ｂの表面の硬度は、駆動ローラ３６ａの表面の硬度よりも大きくなっているので、従動ローラ３６ｂの外形はほとんど変化しないが、駆動ローラ３６ａの外形のなかで従動ローラ３６ｂで押圧される部分は凹部が形成される。従って、駆動ローラ３６ａと従動ローラ３６ｂとの間の用紙は、その凹部に沿って湾曲することによって、用紙の先端近傍が搬送方向上方に向かって持ち上げられる。なお、第２カール除去ローラ対３７の駆動ローラ３７ａと従動ローラ３７ｂとが圧着されている様子は、上述と同様である。
【００４２】
切断部５０は、第１カール除去ローラ対３６と第２カール除去ローラ対３７との間に配置されている。切断部５０は、搬送経路よりも上方に配置されたローリングカッタ５１と、搬送経路よりも下方に配置された固定刃５２と、切りくずボックス５３とを有している。
【００４３】
ローリングカッタ５１は、円板形状を有しており、その円周部には全周にわたって刃が形成されている。そして、ローリングカッタ５１は、その中心部がシャフト５１ａで保持されている。ローリングカッタ５１は、シャフト５１ａを介して、切断制御部２７ｃによって制御される駆動機構５５（図７参照）に接続されている。駆動機構５５は、シャフト５１ａを介して、ローリングカッタ５１を回転駆動すると共に、用紙の搬送経路を直交する方向に沿って（図２では紙面に直交する方向に沿って）往動または復動させる。一方、固定刃５２は、用紙の搬送経路に直交するように配置されており、用紙の搬送経路の全幅よりも長い矩形刃である。ここで、固定刃５２の先端部におけるローリングカッタ５１と反対側の部分には面取りが施されている。
【００４４】
従って、切断部５０による切断位置に用紙が配置された状態において、切断制御部２７ｃが駆動機構５５を制御して、ローリングカッタ５１を回転させつつ用紙の幅方向に沿って移動させると、ローリングカッタ５１と固定刃５２との相互作用によって用紙が切断される。なお、本実施の形態のプリンタ１では、後述するように切断部５０は各画像の先端部及び後端部において用紙を切断する。
【００４５】
また、切りくずボックス５３は、ローリングカッタ５１及び固定刃５２の下方に配置されている。従って、各画像の先端部または後端部において用紙が切断されて余白部が切断されると、その余白部は通路５７、５８を通過して切りくずボックス５３内に収納される。
【００４６】
ここで、第１カール除去ローラ対３６及び第２カール除去ローラ対３７近傍を搬送される用紙は、搬送経路の下方に配置されたガイド５５、５６（図３では太線で図示されている）に支持されつつ搬送される。なお、第１カール除去ローラ対３６の駆動ローラ３６ａの上端部はガイド５５の開口（図示しない）から上方に突出しており、第２カール除去ローラ対３７の駆動ローラ３７ａの上端部はガイド５６の開口（図示しない）から上方に突出している。
【００４７】
ガイド５５は、切断部５０における切断位置よりも搬送方向上流側に配置されており、その端部５５ａ（搬送方向下流側の端部）は第１カール除去ローラ対３６と切断位置との間に配置されている。従って、切断位置とガイド５５との間には、切りくずを切りくずボックス５３に落下させるための通路５７が形成される。同様に、ガイド５６は、切断部５０における切断位置よりも搬送方向下流側に配置されており、その端部５６ａ（搬送方向上流側の端部）は第２カール除去ローラ対３７と切断位置との間に配置されている。従って、切断位置とガイド５６との間には、切りくずを切りくずボックス５３に落下させるための通路５８が形成される。
【００４８】
オーバーコート部６０は、搬送ローラ対３４の搬送方向下流側に配置されている。オーバーコート部６０は、１つのヘッド部６１を有している。ヘッド部６１は、画像が印字された用紙の表面に対して無色透明なオーバーコート（ＯＣ）を行うためのものである。このように、用紙の表面に対してオーバーコートを行うことによって、用紙上に印字された画像の耐光性が向上すると共に、用紙表面を保護することができる。また、オーバーコートの材質を選ぶことで、プリントの光沢性が向上し、高品質のプリントを提供することができる。
【００４９】
また、印字部７０は、オーバーコート部６０と送り込みローラ対３５との間に配置されている。印字部７０は、３つのヘッド部７１〜７３を有している。ヘッド部７１〜７３は、それぞれシアン（Ｃ）、マゼンタ（Ｍ）、イエロー（Ｙ）に対応する印字を行うためのものである。ここで、プリンタ１では、搬送方向上流側から搬送方向下流側に向かって、シアンに対応するヘッド部７１、マゼンタに対応するヘッド部７２、イエローに対応するヘッド部７３の順に設けられている。なお、プリンタ１では、オーバーコート部６０及び印字部７０の搬送方向上流側に搬送ローラ対３４が配置されており、それらの搬送方向下流側に送り込みローラ対３５が配置されていることになる。
【００５０】
そして、本実施の形態のプリンタ１では、用紙供給部４０から巻き解かれた用紙が搬送方向下流側に向かって搬送されるときはオーバーコート部６０でのオーバーコート及び印字部７０でのカラー画像の印字は行われないで、印字部７０よりも搬送方向下流側に配置された用紙巻取部８０に一旦巻き取られた用紙が搬送方向上流側に向かって逆送されるときに印字部７０での画像の印字及びオーバーコート部６０でのオーバーコートが行われる。従って、プリンタ１では、用紙表面に対して、イエロー、マゼンタ、シアンの順にカラー画像の印字が可能であると共に、さらに、カラー画像が印字された用紙表面に対してオーバーコートを行うことができる。
【００５１】
次に、ヘッド部６１、７１〜７３の概略構成について説明する。なお、ヘッド部６１、７１〜７３の構成はいずれも同様であるので、ここではヘッド部７３についてのみ詳細に説明する。
【００５２】
ヘッド部７３は、用紙の搬送経路の全幅にわたって配置された多数の発熱素子（図示しない）を有するサーマルヘッド７３ａと、サーマルヘッド７３ａの先端部（用紙の搬送経路近傍であって発熱素子が配置された端部）に対向するプラテンローラ７３ｂと、イエローに対応するインクが付着したインク領域を有するテープ状のリボン７３ｃと、印字前のリボン７３ｃが巻回されたリボン供給ローラ７３ｄと、印字後のリボン７３ｃを巻き取るリボン巻取ローラ７３ｅとを有している。
【００５３】
ここで、サーマルヘッド７３ａは、昇降機構７３ｆ（図７参照）によって、用紙の搬送経路に対して進退可能になっている。従って、サーマルヘッド７３ａは、その先端部近傍とプラテンローラ７３ｂとの間で、リボン７３ｃ及び用紙を圧接するプリント位置と圧接しない待避位置とを選択的に取り得る。
【００５４】
そして、ヘッド部７３では、サーマルヘッド７３ａがプリント位置に配置されている状態で、サーマルヘッド７３ａとプラテンローラ７３ｂとの間を用紙が搬送されると、サーマルヘッド７３ａにより加熱されたリボン７３ｃのインクによって用紙上にイエローに対応するカラー画像を印字することができる。なお、このとき、サーマルヘッド７３ａとプラテンローラ７３ｂとの間を用紙が搬送される際には、用紙が搬送されるのに伴ってリボン７３ｃもリボン供給ローラ７３ｄからリボン巻取ローラ７３ｅに向かって送られる。
【００５５】
なお、ヘッド部６１及びヘッド部７１、７２は、ヘッド部７３と同様に、サーマルヘッド６１ａ、７１ａ、７２ａと、プラテンローラ６１ｂ、７１ｂ、７２ｂと、リボン６１ｃ、７１ｃ、７２ｃと、リボン供給ローラ６１ｄ、７１ｄ、７２ｄと、リボン巻取ローラ６１ｅ、７１ｅ、７２ｅと、昇降機構６１ｆ、７１ｆ、７２ｆとをそれぞれ備えている。
【００５６】
ここで、ヘッド部６１及びヘッド部７１、７２では、ヘッド部７３のイエローに対応するインクが付着したインク領域を有するテープ状のリボン７３ｃの代わりに、無色透明、シアン、マゼンタにそれぞれ対応するインクが付着したインク領域を有するテープ状のリボン６１ｃ、７１ｃ、７２ｃが用いられている。
【００５７】
また、オーバーコート部６０のヘッド部６１及び印字部７０の各ヘッド部７１〜７３間には、一対のガイド７５ａ〜７５ｃがそれぞれ配置されている。一対のガイド７５ａ〜７５ｃは、いずれも２枚の板状部材を含んでおり、ヘッド部６１、７１〜７３間をそれぞれ搬送される用紙（主に用紙の先端部）を案内するためのものである。従って、一対のガイド７５ａ〜７５ｃは、用紙の搬送経路を挟んで所定間隔を隔てて対向するように配置されている。
【００５８】
用紙巻取部８０は、搬送経路の最下流に設けられた格納ケース８１を有している。格納ケース８１は、略円筒形状を有しており、その一部が用紙の挿入口８２として開口している。本実施の形態では、図２に示すように、挿入口８２となる部分の中心角は約９０度であって、その一方の縁部８２ａは格納ケース８１の左端部近傍にあって、他方の縁部８２ｂは格納ケース８１の上端部近傍にある。
【００５９】
ここで、送り込みローラ対３５は、格納ケース８１の縁部８２ａの上方近傍に配置されており、送り込みローラ対３５によって下方に搬送された用紙は挿入口８２の端部８２ａ近傍から格納ケース８１内に挿入される。そして、用紙巻取部８０に挿入された用紙は、格納ケース８１の内周面に当接することによって案内される。その結果、格納ケース８１内では、用紙が有する巻き癖にしたがって、その印字面が外側面になるように用紙の先端部から順に巻き取られる。また、格納ケース８１には、４つの巻き取りローラ８３ａ〜８３ｄが回転自在に設けられている。そして、各巻き取りローラ８３ａ〜８３ｄの一部が格納ケース８１の内周面よりも内側に突出している。従って、用紙が格納ケース８１の内周面に当接する際の摩擦力が軽減されるので、用紙に傷が付くのが抑制される。
【００６０】
プリントボックス９６は、印字部７０における画像の印字及びオーバーコート部６０におけるオーバーコートが行われた後、さらに切断部５０によって切断された各カラー画像が印字された用紙（プリント）を排出するためのものである。また、プリントボックス９６は、上端部が開口された箱状の部材であって、その下端部において支持軸９７によって回動可能に支持されている。従って、プリントボックス９６は、筐体３０ａ内に収納された状態（図２で実線で示す状態）と、筐体３０ａの正面（図２では右面）に設けられた開口９５を介してその上端部近傍が筐体３０ａ外に引き出された状態（図２で破線で示す状態）とを取り得る。よって、オペレータは、プリントボックス９６の上端部をプリンタ１（筐体３０ａ）の正面から外部に引き出すことによって、各カラー画像が印字された用紙を容易に取り出すことができる。
【００６１】
なお、プリントボックス９６の上方には、ターンローラ対３２よりも搬送方向上流側の搬送経路に近接するように振り分け機構（図示しない）が設けられている。この振り分け機構は、用紙が用紙供給部４０に巻き取られる場合と、各カラー画像が印字された用紙がプリントボックス９６に排出される場合とで、用紙が搬送方向上流側に向かって逆送される際の用紙の搬送経路を切り換えることができる。従って、振り分け機構を制御することによって、各カラー画像が印字された用紙だけをプリントボックス９６内に収納することができる。
【００６２】
また、切断部５０よりも搬送方向上流側には、搬送経路に沿って搬送される用紙上に印字された画像の端部（主に画像の後端部）を検出可能な画像検出センサ９０が設けられている。一方、オーバーコート部６０よりも搬送方向上流側には、用紙の端部を検出可能な用紙検出センサ９１が設けられている。なお、本実施の形態では、オーバーコート部６０の搬送方向上流側の端部と用紙検出センサ９１による検出位置とはほぼ一致している。
【００６３】
次に、搬送ローラ対３４及び送り込みローラ対３５の動作について、図４を参照して説明する。図４（ａ）は、用紙が搬送方向下流側に搬送される際の搬送ローラ対３４及び送り込みローラ対３５の動作を表しており、図４（ｂ）は、用紙が搬送方向上流側に逆送される際の搬送ローラ対３４及び送り込みローラ対３５の動作を表している。図４に示すように、搬送ローラ対３４は、駆動ローラ３４ｄと従動ローラ３４ｅとから構成されている。そして、駆動ローラ３４ｄは、ワンウェイクラッチ３４ｃを介して、モータ３４ａにより回転駆動されるシャフト３４ｂと連結されている。同様に、送り込みローラ対３５は、駆動ローラ３５ｄと従動ローラ３５ｅとから構成されており、駆動ローラ３５ｄは、ワンウェイクラッチ３５ｃを介して、モータ３５ａにより回転駆動されるシャフト３５ｂと連結されている。
【００６４】
ワンウェイクラッチ３４ｃ、３５ｃは、いずれも同様の機能を有しているので、ここではワンウェイクラッチ３４ｃの機能について説明する。ワンウェイクラッチ３４ｃは、駆動ローラ３４ｄに固定されており、駆動ローラ３４ｄと一体となって回転する。そして、駆動ローラ３４ｄが、シャフト３４ｂの回転速度よりも速く回転する場合には、シャフト３４ｂの回転力は駆動ローラ３４ｄに伝達されず、駆動ローラ３５ｄはシャフト３４ｂに対して空回りする。また、それ以外の場合には、シャフト３４ｂの回転力がワンウェイクラッチ３４ｃを介して駆動ローラ３４ｄに伝達され、シャフト３４ｂと駆動ローラ３４ｄとが一体となって回転する。
【００６５】
したがって、搬送ローラ対３４が用紙を挟持している際に、用紙の搬送速度が、モータ３４ａによって駆動される搬送ローラ対３４の回転力に基づく用紙の搬送速度よりも遅い場合には、モータ３４ａの駆動力が搬送ローラ対３４に伝達される。そして、用紙は、搬送ローラ対３４により与えられる搬送力で搬送される。一方、用紙の搬送速度が、モータ３４ａによって駆動される搬送ローラ対３４の回転力に基づく用紙の搬送速度よりも速い場合には、モータ３４ａの駆動力は搬送ローラ対３４に伝達されず、搬送ローラ対３４は空回りする。つまり、搬送ローラ対３４は、用紙の搬送速度に応じた回転数で従動回転する。
【００６６】
ここで、モータ３４ａによって駆動される搬送ローラ対３４の回転力に基づく用紙の搬送速度をＶ１、モータ３５ａによって駆動される送り込みローラ対３４の回転力に基づく用紙の搬送速度をＶ２とし、図４（ａ）を参照しつつ、用紙を搬送方向下流側に搬送する場合について考える。このとき、後述するように、用紙の先端部が送り込みローラ対３５に到達して挟持されてからは、搬送ローラ対３４の駆動が停止されるので、搬送速度Ｖ１は０となる。一方、送り込みローラ対３５は、モータ３５ａの駆動力がシャフト３５ｂ及びワンウェイクラッチ３５ｃを介して伝達されて回転駆動される。そして、搬送ローラ対３４が挟持している用紙は、搬送速度Ｖ２で搬送されるようになるので、ワンウェイクラッチ３４ｃの機能により、搬送ローラ対３４は空回りする。
【００６７】
次に、図４（ｂ）を参照しつつ、用紙を搬送方向上流側に逆送する場合について考える。このとき、後述するように、送り込みローラ対３５の駆動が停止されるので、搬送速度Ｖ２は０となる。一方、搬送ローラ対３４は、モータ３４ａの駆動力がシャフト３４ｂ及びワンウェイクラッチ３４ｃを介して伝達されて回転駆動される。そして、送り込みローラ対３５が挟持している用紙は、搬送速度Ｖ１で逆送されるようになるので、ワンウェイクラッチ３５ｃの機能により、送り込みローラ対３５は空回りする。
【００６８】
また、給紙ローラ対３１についても、上述のワンウェイクラッチ３４ｃ、３５ｃと同様の機能を有するワンウェイクラッチ３１ｃを介して、モータ３１ａにより回転駆動されるシャフト（図示せず）と連結されている。従って、給紙ローラ対３１、搬送ローラ対３４及び送り込みローラ対３５は、搬送制御部２７ａによってモータ３１ａ、３４ａ、３５ａが個別に制御されることによって、用紙供給部４０から巻き解かれた用紙を搬送方向下流側に向かって搬送して用紙巻取部８０に巻き取り可能であると共に、用紙巻取部８０内に一旦巻き取られた用紙を再度巻き解きつつ、用紙巻取部８０から巻き解かれた用紙を搬送方向上流側に向かって逆送させることができる。
【００６９】
また、プリント部３０は、搬送ローラ対３４の回転数を検出可能なエンコーダ３３を有している。ここで、上述したように、搬送ローラ対３４は、用紙を搬送するためにモータ３４ａにより駆動されて回転する状態と、送り込みローラ対３５により搬送される用紙に伴って従動回転する状態とを取り得る。エンコーダ３３は、搬送ローラ３４が上記のいずれの状態である場合でも、搬送ローラ対３４の回転数を検出することができる。
【００７０】
次に、第１カール除去ローラ対３６及び第２カール除去ローラ対３７の動作について、図５及び図６を参照して説明する。図５は、用紙が搬送方向下流側に搬送される際の様子を示しており、図６は、用紙が搬送方向上流側に逆送される際の様子を示している。
【００７１】
まず、用紙が搬送方向下流側に搬送される場合において、用紙の先端が第１カール除去ローラ対３６に到達するまでは、図５（ａ）に示すように、従動ローラ３６ｂは駆動ローラ３６ａと接触しない位置に配置されていると共に、従動ローラ３７ｂは駆動ローラ３７ａと接触しない位置に配置されている。
【００７２】
そして、用紙の先端が第１カール除去ローラ対３６を通過すると、図５（ｂ）に示すように、従動ローラ３６ｂが駆動ローラ３６ａと圧着する位置に配置される。すると、駆動ローラ３６ａと従動ローラ３６ｂとに圧着されることによって、用紙の先端近傍は搬送経路の上方に向かって湾曲して持ち上げられる。
【００７３】
引き続き、用紙の先端近傍が上方に持ち上げられた状態で、第１カール除去ローラ対３６の駆動ローラ３６ａが駆動されると、用紙の先端は、図５（ｃ）に示すように、固定刃５２上、ガイド５６上の順に到達する。なお、用紙の先端が固定刃５２上、ガイド５６上に到達すると、従動ローラ３６ｂが移動されることによって、駆動ローラ３６ａと従動ローラ３６ｂとは圧着状態から接触状態に切り換えられる。
【００７４】
その後、用紙がさらに搬送されると、図５（ｄ）に示すように、従動ローラ３６ｂが移動されることによって、駆動ローラ３６ａと従動ローラ３６ｂとは接触状態から離隔状態に切り換えられる。
【００７５】
このように、用紙の先端が、ガイド５５と切断位置との間の通路５７及びガイド５６と切断位置との間の通路５８の上方を搬送される際には、用紙の先端近傍が上方に持ち上げられているので、用紙の先端が通路５７、５８の縁部に引っ掛かるのを抑制することができる。
【００７６】
一方、用紙が搬送方向上流側に逆送される場合において、用紙の先端が第２カール除去ローラ対３７に到達するまでは、図６（ａ）に示すように、従動ローラ３６ｂは駆動ローラ３６ａと接触しない位置に配置されていると共に、従動ローラ３７ｂは駆動ローラ３７ａと接触しない位置に配置されている。
【００７７】
そして、用紙の先端が第２カール除去ローラ対３７を通過すると、図６（ｂ）に示すように、従動ローラ３７ｂが駆動ローラ３７ａと圧着する位置に配置される。すると、駆動ローラ３７ａと従動ローラ３７ｂとに圧着されることによって、用紙の先端近傍は搬送経路の上方に向かって湾曲して持ち上げられる。
【００７８】
引き続き、用紙の先端近傍が上方に持ち上げられた状態で、第２カール除去ローラ対３７の駆動ローラ３７ａが駆動されると、用紙の先端は、図６（ｃ）に示すように、固定刃５２上、ガイド５５上の順に到達する。なお、用紙の先端が固定刃５２上、ガイド５６上に到達すると、従動ローラ３７ｂが移動されることによって、駆動ローラ３７ａと従動ローラ３７ｂとは圧着状態から接触状態に切り換えられる。
【００７９】
その後、用紙がさらに搬送されると、図６（ｄ）に示すように、従動ローラ３７ｂが移動されることによって、駆動ローラ３７ａと従動ローラ３７ｂとは接触状態から離隔状態に切り換えられる。
【００８０】
このように、用紙の先端が、ガイド５６と切断位置との間の通路５８及びガイド５５と切断位置との間の通路５７の上方を搬送される際には、用紙の先端近傍が上方に持ち上げられているので、用紙の先端が通路５７、５８の縁部に引っ掛かるのを抑制することができる。
【００８１】
制御装置２０には、図７に示すように、用紙供給部４０の回転軸４３を駆動するモータ４３ａと、給紙ローラ対３１、駆動ローラ３６ａ、３７ａ、搬送ローラ対３４及び送り込みローラ対３５をそれぞれ駆動するモータ３１ａ、３６ｃ、３７ｃ、３４ａ、３５ａと、搬送ローラ対３４の回転数を検出するエンコーダ３３と、切断部５０のローリングカッタ５１の駆動機構５５と、オーバーコート部６０及び印字部７０のサーマルヘッド６１ａ、７１ａ〜７３ａの昇降機構６１ｆ、７１ｆ〜７３ｆ及びドライバ６１ｇ、７１ｇ〜７３ｇと、画像検出センサ９０と、用紙検出センサ９１と、操作部１０とがそれぞれ接続されている。
【００８２】
また、制御装置２０は、適切なソフトウェアにより制御されるＣＰＵやＲＯＭ、ＲＡＭなどのハードウェアを備えており、最大巻取量記憶部２１と、プリント情報記憶部２２と、必要巻取量算出部２３と、比較部２４と、巻取量決定部２５と、搬送量検知部２６と、搬送制御部２７ａと、印字制御部２７ｂと、切断制御部２７ｃと、カール除去制御部２７ｄとを有している。
【００８３】
最大巻取量記憶部２１は、用紙供給部４０から用紙巻取部８０に向かって用紙が搬送される場合に、印字部７０よりも搬送方向下流側に搬送可能な用紙の最大長さを最大巻取量として記憶する。この最大巻取量は、印字部７０の搬送方向について最も下流側に配置されたヘッド部７３による印字位置と用紙巻取部８０の挿入口８２との間の搬送経路の長さと、用紙巻取部８０の格納ケース８１内に巻き取り可能な用紙の長さとを足し合わせることによって算出される値である。なお、最大巻取量は、オペレータによって最大巻取量記憶部２１に対して入力される。
【００８４】
ここで、最大巻取量は、主として格納ケース８１の大きさによって大きく変化する。なお、格納ケース８１内に巻き取り可能な用紙の長さは、実際に格納ケース８１内に収容可能な用紙の最大長さであってもよいし、格納ケース８１内に収容可能な用紙の最大長さより短くてもよく、任意に設定可能である。そこで、本実施の形態では、最大巻取量が算出される際に用いられる格納ケース８１内に巻き取り可能な用紙の長さは、格納ケース８１内において用紙が破損したり傷が付いたりしない範囲の長さであって、格納ケース８１内に収容可能な用紙の最大長さよりは短い長さが設定されている。
【００８５】
プリント情報記憶部２２は、カラー画像が印字される際の種々の設定値を記憶する。ここで、設定値としては、プリント種類毎の１コマのプリント長さ（搬送方向長さ）、プリント枚数（コマ数）、隣り合う画像間に形成される余白部の長さ、ヘッド放熱用の追加長さなどが含まれる。プリント種類毎の１コマのプリント長さは、例えば標準サイズ、パノラマサイズなどの複数のプリントの種類毎に複数の値が記憶されている。プリント枚数は、プリント開始前に、オペレータによってオーダー毎に入力される値が記憶される。また、画像間の余白部の長さ及びヘッド放熱用の追加長さは、プリント開始前に、オペレータによって入力される値が記憶される。なお、追加長さは、画像を印字するために発熱したサーマルヘッド７１ａ、７２ａ、７３ａ及び、オーバーコートを行うために発熱したサーマルヘッド６１ａの温度が、通電終了後にその周囲温度と実質的に同じになるまで用紙が各サーマルヘッド６１ａ、７１ａ〜７３ａと対向しているような長さに設定されている。本実施の形態では、発熱した各サーマルヘッド６１ａ、７１ａ〜７３ａが、いずれもその周囲温度と実質的に同じになるまでに必要な時間と、搬送方向上流側に向かって逆送される用紙の搬送速度との積によって追加長さが算出される。
【００８６】
必要巻取量算出部２３は、１オーダーに含まれる複数のカラー画像の全てを印字するために必要な用紙の長さを必要巻取量として算出する。つまり、１オーダーに含まれる複数のカラー画像の全てを印字するためには、印字部７０でのカラー画像の印字を開始する前に、これらのカラー画像を印字可能な長さの用紙を印字部７０よりも搬送方向下流側に搬送しておく必要がある。従って、用紙供給部４０から用紙巻取部８０に向かって用紙が搬送される場合に、１オーダーに含まれる複数のカラー画像の全てを印字するために、印字部７０のヘッド部７３による印字位置を超えて搬送されるべき用紙の長さが必要巻取量として算出される。
【００８７】
ここで、必要巻取量について、図８を参照して説明する。図８は、１オーダーに含まれる複数のカラー画像が用紙の先端部近傍に印字されるときの様子を示す図である。なお、図８では、１オーダーには同じプリント種類の画像が６個含まれる場合について図示している。図８に示すように、用紙の先端（図８では左端部）近傍にヘッド放熱用の追加長さｚに対応する領域が設けられ、そこから上流側（図８では右方）に向かって、プリント長さｘに対応する領域と余白部長さｙに対応する領域がプリント枚数ｎだけ交互に設けられる。
【００８８】
従って、必要巻取量算出部２３では、プリント開始前に、オペレータによって、１オーダーに含まれるカラー画像のプリント種類及びプリント枚数が入力されると、プリント情報記憶部２２に記憶された各値に基づいて、１オーダーに対応する必要巻取量Ｌが下記の式によって算出される。
Ｌ＝ｚ＋ｘ×ｎ＋ｙ×（ｎ−１）
【００８９】
比較部２４は、必要巻取量算出部２３で算出された必要巻取量と最大巻取量記憶部２１に記憶された最大巻取量とを比較する。そして、比較部２４は、必要巻取量と最大巻取量との間の大小関係についての比較結果を得る。
【００９０】
巻取量決定部２５は、用紙の搬送方向が搬送方向下流側に向かう方向から搬送方向上流側に向かう方向に変更される前に、実際に印字部７０よりも搬送方向下流側に搬送される用紙の長さ（実際の巻取量）、すなわち、実際に印字部７０のヘッド部７３に対向する位置を超えて搬送される用紙の長さを決定する。ここで、巻取量決定部２５は、比較部２４による比較結果に基づいて巻取量を決定する。つまり、巻取量決定部２５は、比較部２４において必要巻取量が最大巻取量以下であるという比較結果が得られた場合は、実際の巻取量を必要巻取量に決定し、一方、比較部２４において必要巻取量が最大巻取量より長いという比較結果が得られた場合は、実際の巻取量を最大巻取量に決定する。
【００９１】
搬送量検知部２６は、用紙検出センサ９１によって用紙の先端が検出された後にエンコーダ３３により検出される搬送ローラ対３４の回転数に基づいて、用紙の搬送量を検知する。つまり、搬送量検知部２６は、用紙検出センサ９１による検出位置よりも搬送方向下流側に搬送された用紙の長さを検知する。その結果、搬送量検知部２６は、用紙の搬送方向が搬送方向下流側に向かう方向から搬送方向上流側に向かう方向に変更される前に、印字部７０よりも搬送方向下流側に搬送された用紙の長さを検知することができる。なお、後述するように、用紙の先端部が送り込みローラ対３５に到達した後は、搬送ローラ対３４から与えられる搬送力ではなく送り込みローラ対３５から与えられる搬送力によって用紙が搬送されるようになるが、この場合でも、搬送量検知部２６では、常に搬送ローラ対３４の回転数に基づいて用紙の搬送量が検知される。
【００９２】
搬送量検知部２６は、用紙が搬送方向下流側に向かって搬送される場合だけでなく、用紙が搬送方向上流側に向かって搬送される場合にも、用紙の搬送量を検知することができる。従って、用紙の搬送方向が搬送方向下流に向かう方向から搬送方向上流に向かう方向に変更された場合には、搬送方向が変更される前の搬送方向下流側への搬送量から、搬送方向が変更された後の搬送方向上流側への搬送量を差し引くことによって、用紙の先端位置を検知することができる。
【００９３】
搬送制御部２７ａは、回転軸４３、給紙ローラ対３１、第１カール除去ローラ対３６、第２カール除去ローラ対３７、搬送ローラ対３４及び送り込みローラ対３５を駆動するモータ４３ａ、３１ａ、３６ｃ、３７ｃ、３４ａ、３５ａを制御することによって、用紙を用紙供給部４０から用紙巻取部８０に向かって搬送すると共に、用紙を用紙巻取部８０から用紙供給部４０に向かって逆送させる。
【００９４】
印字制御部２７ｂは、オーバーコート部６０のサーマルヘッド６１ａ及び印字部７０のサーマルヘッド７１ａ〜７３ａの昇降タイミング及び印字タイミングを制御する。詳細には、印字制御部２７ｂは、用紙が搬送方向下流側に搬送される際には、サーマルヘッド６１ａ、７１ａ〜７３ａを退避位置とし、用紙が搬送方向上流側に逆送される前に、サーマルヘッド６１ａ、７１ａ〜７３ａをプリント位置とするように昇降タイミングを制御する。また、印字制御部２７ｂは、搬送方向上流側に逆送されている用紙に対して、１オーダーに含まれる複数のカラー画像が余白部の長さ分だけ隔ててそれぞれ印字され、且つ、最後に印字されたカラー画像よりも用紙の先端部側の追加長さに対応する領域には画像が印字されないように印字タイミングを制御する。さらに、印字制御部２７ｂは、用紙のカラー画像が印字された領域のみにオーバーコートを行うようにオーバーコート部６０を制御する。
【００９５】
切断制御部２７ｃは、切断部５０での切断タイミングを制御する。詳細には、切断制御部２７ｃは、搬送量検知部２６によって検知される、用紙の搬送方向が搬送方向下流に向かう方向から搬送方向上流に向かう方向に変更された後の搬送方向上流側への用紙の搬送量に基づいて、最も搬送方向上流側に印字されたカラー画像の後端部が、切断部５０による切断位置に到達したことを検知し、そのカラー画像の後端部が切断されるように切断部５０を制御する。また、切断制御部２７ｃは、搬送量検知部２６によって検知される、画像検出センサ９０において画像の後端部が検出された後の搬送方向上流側への用紙の搬送量に基づいて、カラー画像の先端部が、切断部５０による切断位置に到達したことを検知し、そのカラー画像の先端部が切断されるように切断部５０を制御する。さらに、切断制御部２７ｃは、搬送量検知部２６によって検知される、カラー画像の先端部での用紙の切断が行われた後の搬送方向上流側への用紙の搬送量に基づいて、搬送方向下流側において隣接するカラー画像の後端部が、切断部５０による切断位置に到達したことを検知し、そのカラー画像の後端部が切断されるように切断部５０を制御する。
【００９６】
カール除去制御部２７ｄは、カール除去ローラ対３６、３７の従動ローラ３６ｂ、３７ｂを移動させるために駆動機構３６ｄ、３７ｄを制御する。
【００９７】
次に、プリンタ１において、画像の印字が行われる際の動作について、図９を参照して説明する。図９は、プリンタ１での動作手順を示すフローチャートである。
【００９８】
まず、用紙供給部４０に装填された用紙の巻回部４５から回転軸４３が回転駆動されることによって巻き解かれた用紙の先端部が、給紙ローラ対３１から与えられる搬送力だけによって搬送される（ステップＳ１０１）。なお、上述したように、搬送方向下流側に搬送される用紙の先端近傍が切断部５０近傍の通路５７、５８の上方を搬送される際には、第１カール除去ローラ対３６で用紙を圧着することによって、用紙の先端近傍が搬送経路の上方に持ち上げられた状態で搬送される。
【００９９】
そして、用紙の先端部が搬送ローラ対３４を通過して用紙検出センサ９１に到達するまで給紙ローラ対３１による搬送が継続される（ステップＳ１０２）。ここで、用紙検出センサ９１により用紙の先端部が検出されると、用紙検出センサ９１から制御装置２０に対して用紙の先端部を検出した旨の検出信号が送信される。
【０１００】
このようにして、用紙の先端部が用紙検出センサ９１に到達した時点で、用紙の搬送が停止されて待機状態になる（ステップＳ１０３）。このとき、サーマルヘッド６１ａ、７１ａ〜７３ａがプリント位置に配置されている場合は、サーマルヘッド６１ａ、７１ａ〜７３ａが待避位置に移動させられる（ステップＳ１０４）。
【０１０１】
その後、オペレータからの注文（オーダー）の受付があって、１オーダーに含まれるカラー画像のプリント種類及びプリント枚数が入力されると（ステップＳ１０５）、用紙の搬送を開始する準備として、プリント情報記憶部２２に記憶された情報に基づいて、その１オーダーに対応する必要巻取量が必要巻取量算出部２３によって算出される（ステップＳ１０６）。すると、比較部２４によって、この必要巻取量と最大巻取量記憶部２１に記憶された最大巻取量とが比較される（ステップＳ１０７）。その比較結果に基づいて、巻取量決定部２５によって、実際の巻取量が決定される（ステップＳ１０８）。このようにして、用紙の搬送準備が終了した後で、搬送ローラ対３４から与えられる搬送力だけによって用紙が搬送される（ステップＳ１０９）。なお、このとき、用紙供給部４０の回転軸４３及び給紙ローラ対３１はいずれも回転自在になっている。
【０１０２】
その後、サーマルヘッド６１ａ、７１ａ〜７３ａが待避位置に配置された状態において、用紙の先端部が、オーバーコート部６０及び印字部７０をオーバーコート及び画像の印字が行われないまま通過して送り込みローラ対３５に到達するまで、搬送ローラ対３４から与えられる搬送力だけによって搬送が継続される（ステップＳ１１０）。そして、用紙の先端部が送り込みローラ対３５に到達して挟持されるようになると、それ以後は送り込みローラ対３５から与えられる搬送力だけによって用紙が搬送されて、用紙の先端部から用紙巻取部８０の格納ケース８１内に順次送り込まれる（ステップＳ１１１）。このとき、用紙が格納ケース８１内に送り込まれるにつれて、用紙の先端部が格納ケース８１の内周面及び巻き取りローラ８３ａ〜８３ｄに案内されて、格納ケース８１内において、用紙がその巻き癖にしたがって巻き取られる。なお、用紙の先端部が送り込みローラ対３５に到達した時点で、搬送ローラ対３４は、ワンウェイクラッチ３４ｃの機能により、用紙に搬送力を与える状態から送り込みローラ対３５により搬送される用紙に伴って従動回転する状態に切り換えられる。
【０１０３】
その後、巻取量決定部２５で決定された巻取量の長さの用紙が、ヘッド部７３による印字位置よりも搬送方向下流側に搬送された時点で、用紙の巻き取りが終了して、用紙供給部４０から用紙巻取部８０に向かって用紙が搬送されるのが停止される（ステップＳ１１２）。つまり、搬送量検知部２６において、用紙検出センサ９１によって用紙の先端部が検出された後にエンコーダ３３により検出される搬送ローラ対３４の回転数に基づいて検知される用紙の搬送量が、巻取量決定部２５で決定された巻取量と、オーバーコート部６０及び印字部７０における搬送経路の長さとを足し合わせた長さに一致した時点で、搬送制御部２７ａは用紙の巻き取りを終了し、用紙の搬送方向下流側への搬送を停止する。なお、このとき、ヘッド部７３による印字位置には、巻取量の長さの用紙の最も搬送方向上流側に印字される画像の後端部が配置されている。
【０１０４】
そして、オーバーコート部６０のサーマルヘッド６１ａ及び印字部７０のサーマルヘッド７１ａ〜７３ａが待避位置からプリント位置に同時に移動させられる（ステップＳ１１３）。その後、給紙ローラ対３１及び搬送ローラ対３４から与えられる搬送力によって用紙が搬送方向上流側に向かって逆送される（ステップＳ１１４）。従って、このとき、従動回転する状態であった給紙ローラ対３１及び搬送ローラ対３４は、用紙を搬送方向上流側に向かって搬送する方向に回転駆動されると共に、送り込みローラ対３５は、ワンウェイクラッチ３５ｃの機能により、従動回転するようになる。また、用紙供給部４０の回転軸４３はマガジンケース４１内に用紙を巻き戻す方向に回転駆動される。
【０１０５】
そして、用紙が搬送方向上流側に向かって逆送されながら、１オーダーに含まれる各カラー画像について、ヘッド部７３によってイエローに対応する印字、ヘッド部７２によってマゼンタに対応する印字、ヘッド部７１によってシアンに対応する印字が順次行われる。このようにして、各カラー画像について、イエロー、マゼンタ、シアンの順に印字が行われることによってカラー画像が完成する（ステップＳ１１５）。その後、引き続き、ヘッド部６１によって、カラー画像が印字された用紙の表面に対してオーバーコートが行われる（ステップＳ１１６）。そして、用紙が搬送方向上流側へ逆送されながら、複数のカラー画像についての印字及びオーバーコートが終了すると、オーバーコート部６０のサーマルヘッド６１ａ及び印字部７０のサーマルヘッド７１ａ〜７３ａがプリント位置から待避位置に同時に移動させられる（ステップＳ１１７）。
【０１０６】
なお、本実施の形態では、必要巻取量が最大巻取量よりも短い場合には、用紙の搬送方向上流側への逆送が開始されると同時に、カラー画像の印字が開始され、１オーダーに含まれるカラー画像の全てが各画像間に所定幅の余白部が形成されるように断続的に印字される。一方、必要巻取量が最大巻取量よりも長い場合には、用紙の搬送方向上流側への逆送が開始されると同時に、カラー画像の印字が開始され、１オーダーに含まれるカラー画像の一部が各画像間に所定幅の余白部が形成されるように断続的に印字される。つまり、上述したように、用紙には、画像領域と余白部とが交互に配置されるようにカラー画像が印字される。ただし、用紙先端近傍のヘッド放熱用の追加長さに対応する領域には画像は印字されない。そして、印字部７０では、３つのヘッド部７１〜７３のうちの少なくとも２つに対向する位置に同じタイミングで画像領域がある場合には、それらのヘッド部によって同時に印字が行われる。また、オーバーコート部６０でのオーバーコートは、印字部７０でのカラー画像の印字と並行して行われる。このようにして、印字部７０及びオーバーコート部６０では、巻取量決定部２５により決定された巻取量の長さの用紙または最大巻取量の長さの用紙に対して印字可能な複数のカラー画像についての印字及びオーバーコートが行われる。
【０１０７】
最も搬送方向上流側に印字されたカラー画像の後端部（巻取量決定部２５で決定された巻取量の長さの用紙の後端部と一致している）が、切断部５０による切断位置に到達すると、用紙の逆送が停止され、そのカラー画像の後端部で用紙が切断される（ステップＳ１１８）。なお、カラー画像の後端部が切断部５０による切断位置に到達するタイミングは、搬送量検知部２６によって検知される搬送量に基づいて検知される。このように用紙が切断された後、最も搬送方向上流側のカラー画像よりも上流側の画像が形成されなかった用紙（巻取量決定部２５で決定された巻取量の長さの用紙の後端部よりも搬送方向上流側の用紙）は、用紙供給部４０に巻き戻される。
【０１０８】
引き続き、搬送ローラ対３４から与えられる搬送力のみで用紙が逆送されて、最も搬送方向上流側の画像の後端部が画像検出センサ９０による検出位置に到達すると、画像検出センサ９０から制御装置２０に対して画像の後端部を検出した旨の検出信号が送信される（ステップＳ１１９）。なお、搬送方向上流側に逆送される用紙の後端近傍が切断部５０近傍の通路５７、５８の上方を搬送される際には、第２カール除去ローラ対３７で用紙を圧着することによって、用紙の後端近傍が搬送経路の上方に持ち上げられた状態で搬送される。
【０１０９】
すると、搬送量検知部２６は、画像検出センサ９０によって画像の後端部が検出された後に、エンコーダ３３により検出される搬送ローラ対３４の回転数に基づいて、搬送方向上流側への用紙の搬送量を検知する。そして、その搬送量に基づいて、切断制御部２７ｃにより、カラー画像の先端部が切断部５０による切断位置に到達したことが検知される。このとき、用紙の逆送が停止され、カラー画像の先端部で用紙が切断される（ステップＳ１２０）。このように、カラー画像の先端部及び後端部を切断された用紙は、プリントボックス９６に収納される。
【０１１０】
ここで、各カラー画像の先端部及び後端部で用紙が切断される際の様子を、図１０及び図１１を参照して説明する。なお、図１０及び図１１では、用紙が切断される際の様子が、（ａ）から（ｃ）の順に図示されている。また、図１０及び図１１では、用紙のカラー画像が形成された部分（上述のプリント長さ部分に対応している）は斜線領域で図示され、用紙の余白部（上述の余白長さ部分または追加長さ部分に対応している）は黒色領域で図示されている。なお、図１０及び図１１では、第１カール除去ローラ対３６及び第２カール除去ローラ対３７の図示は省略されている。
【０１１１】
各カラー画像間に形成される余白部は、各カラー画像の後端部で用紙が切断された際に、余白部分長さｙの用紙として分割される。そして、この余白部分長さｙの用紙は、図１０に示すように、切断位置とガイド５５との間の通路５７を通過して、切りくずボックス５３内に収納される。一方、用紙の先端に形成される余白部は、最も搬送方向下流側の画像の先端部で用紙が切断された際に、追加長さｚの用紙として分割される。そして、この追加長さの用紙は、図１１に示すように、切断位置とガイド５６との間の通路５８を通過して、切りくずボックス５３内に収納される。
【０１１２】
カラー画像の先端部での用紙の切断が行われる度に、切断された用紙に印字されたカラー画像が用紙の先端部に最も近接して印字された最終画像であるか否かが判断される（ステップＳ１２１）。ここで、最終画像でないと判断されると、再び用紙が逆送される。すると、搬送量検知部２６は、カラー画像の先端部での用紙の切断が行われた後、エンコーダ３３により検出される搬送ローラ対３４の回転数に基づいて、搬送方向上流側への用紙の搬送量を検知する。そして、切断制御部２７ｃでは、その搬送量に基づいて、ステップＳ１２０で先端部が切断されたカラー画像と搬送方向下流側において隣接するカラー画像の後端部が、切断部５０による切断位置に到達したことを検知する。このとき、用紙の逆送が停止され、そのカラー画像の後端部で用紙が切断される（ステップＳ１２２）。その後、ステップＳ１１９に戻って、上述と同様の処理が繰り返される。
【０１１３】
一方、最終画像であると判断されると、１オーダーに含まれるカラー画像の全ての印字が終了したか否かが判断される（ステップＳ１２３）。ここで、１オーダーに含まれるカラー画像の全ての印字が終了していないと判断されると、ステップＳ１０６に戻って、上述と同様の処理が繰り返される。一方、１オーダーに含まれるカラー画像の全ての印字が終了したと判断されると、処理が終了する。
【０１１４】
なお、ステップＳ１２３で、１オーダーに含まれるカラー画像の全ての印字が終了していないと判断される場合とは、例えば比較部２４において必要巻取量が最大巻取量より長いと判断されて、巻取量決定部２５が最大巻取量を最終的な巻取量として決定した場合である。つまり、この場合には、１オーダーに含まれるカラー画像のなかで最大巻取量の長さの用紙に印字することができなかった残りのカラー画像の印字が引き続き行われる。このようにして、１オーダーに含まれるカラー画像の全ての印字が終了するまで、上述と同様の処理が繰り返される。
【０１１５】
以上のように、本実施の形態のプリンタ１では、用紙供給部４０から用紙巻取部８０に向かう方向に用紙を搬送した後で、オーバーコート部６０及び印字部７０よりも搬送方向上流側に配置された搬送ローラ対３４による搬送力によって搬送方向上流側に向かって逆送される用紙に複数のカラー画像を印字することができる。そのため、搬送後逆送される用紙部分の先端からの領域にカラー画像を印字可能であると共に、用紙の搬送中の負荷変動に起因して画像が悪化するのを抑制できる。また、複数のカラー画像を用紙に印字する場合でも、用紙を１往復させるだけでよく、搬送機構３８における用紙の搬送方向を１回切り換えるだけでよいので、搬送方向の切り換えに基づく時間的な搬送ロスを低減できる。その結果、複数のカラー画像を用紙に印字する場合において、用紙の無駄及び用紙の搬送中の負荷変動に起因する画像悪化を防止しつつ、プリンタ１の処理能力を向上させることができる。
【０１１６】
また、余白部を落下させるための通路５７、５８が切断部５０の上流側及び下流側の両方にそれぞれ設けられているので、用紙の先端近傍及び各カラー画像間のそれぞれに形成された余白部が切断されると、その余白部の全てが搬送経路から外れるように移動する。従って、切断部５０によって切断されたカット屑となる余白部を搬送経路から取り除いて適正に廃棄することができる。
【０１１７】
また、通路５７、５８の下方には切りくずボックス５３が配置されているので、切断された後で通路５７、５８を落下することによって搬送経路から外れた余白部を収納することができる。そのため、カット屑の廃棄を容易に行うことができる。
【０１１８】
また、固定刃５２の先端部におけるローリングカッタ５１と反対側の部分には面取りが施されているので、各カラー画像の搬送方向上流側の余白部が切断された場合に、この余白部が通路５７から落下し易くなる。従って、カット屑が搬送経路から取り除かれなくなるのを抑制することができる。
【０１１９】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、オーバーコート部６０及び印字部７０よりも搬送方向上流側に配置された搬送ローラ対３４による搬送力によって搬送方向上流側に向かって逆送される用紙にカラー画像が印字されているが、これには限られない。従って、オーバーコート部６０及び印字部７０よりも搬送方向下流側に配置された搬送ローラ対による搬送力によって搬送方向上流側に向かって逆送される用紙にカラー画像が印字されてもよい。
【０１２０】
また、上述の実施の形態では、通路５７、５８の下方には切りくずボックス５３が配置されているが、切りくずボックス５３は配置されていなくてもよい。また、上述の実施の形態では、固定刃５２の先端部におけるローリングカッタ５１と反対側の部分には面取りが施されているが、面取りは施されていなくてもよい。
【０１２１】
また、上述の実施の形態では、印字部７０が複数のヘッド部７１〜７３を有しており、用紙に対してカラー画像が印字されているが、印字部が１つのヘッド部だけを有しており、用紙に対して一色の画像が印字されてもよい。
【０１２２】
また、上述の実施の形態では、プリンタ１は、画像が印字された用紙の表面に対してオーバーコートを行うオーバーコート部６０を備えているが、オーバーコート部６０はなくてもよい。
【０１２３】
また、上述の実施の形態では、熱昇華方式のプリンタ１において、記録媒体である用紙と接触する３つのヘッド部７１〜７３によってカラー画像が印字されているが、カラー画像を記録可能なプリンタであれば、その画像記録部の構成はこれに限られない。従って、記録媒体と接触するヘッドを有するサーマルプリンタ（熱転写方式及び感熱記録方式を含む）であってもよいし、例えばインクジェットヘッド、ＦＯＣＲＴ（Fiber Optic Cathode-Ray-Tube）、レーザ光源などを有しており、記録媒体と接触しないでカラー画像を記録可能なプリンタであってもよい。また、画像記録部は、必ずしも複数の画像記録ヘッドを有している必要はなく、カラー画像を記録可能な１つの画像記録ヘッドだけを有していてもよい。従って、例えばイエロー、マゼンタ、シアンのインクを吐出可能なノズルをそれぞれ有する３つのインクジェットヘッドを有しており、それらのヘッドが記録媒体の搬送方向に交差する方向に往復動しつつカラー画像を記録するプリンタであってもよいし、イエロー、マゼンタ、シアンのインクを吐出可能なノズルを有する１つのインクジェットヘッドを有しており、そのヘッドが記録媒体の搬送方向に交差する方向に往復動しつつカラー画像を記録するプリンタであってもよい。
【０１２４】
また、上述の実施の形態では、プリンタ１において、切断部５０の搬送方向上流側及び搬送方向下流側に通路５７、５８がそれぞれ設けられている場合について説明しているが、プリンタには備えられていない搬送装置において、切断部の搬送方向上流側及び搬送方向下流側に通路がそれぞれ設けられていてもよい。
【図面の簡単な説明】
【０１２５】
【図１】本発明の実施の形態に係るプリンタの外観斜視図である。
【図２】図１のプリンタの画像形成部の概略構成を示す図である。
【図３】図２のプリント部に含まれる切断機構における切断位置近傍の構成を示す図である。
【図４】図１のプリンタの搬送ローラ対及び送り込みローラ対の動作を表す図である。
【図５】図２のプリント部に含まれるカール除去ローラ対の動作を説明する図である。
【図６】図２のプリント部に含まれるカール除去ローラ対の動作を説明する図である。
【図７】図１のプリンタの主要部及びこれらが接続された制御装置についてのブロック図である。
【図８】１オーダーに含まれる複数のカラー画像が用紙の先端部近傍に印字されるときの様子を示す図である。
【図９】プリンタ１での動作手順を示すフローチャートである。
【図１０】各カラー画像の後端部で用紙が切断される際の様子を示す図である。
【図１１】最も搬送方向下流側のカラー画像の先端部で用紙が切断される際の様子を示す図である。
【符号の説明】
【０１２６】
１  サーマルプリンタ（プリンタ）
１０  操作部
２０  制御装置
２１  最大巻取量記憶部
２２  プリント情報記憶部
２３  必要巻取量算出部
２４  比較部
２５  巻取量決定部
２６  搬送量検知部
２７ａ  搬送制御部（搬送制御手段）
２７ｂ  印字制御部（画像記録制御手段）
２７ｃ  切断制御部（切断制御手段）
２７ｄ  カール除去制御部
３０  プリント部
３８  搬送機構
４０  用紙供給部（供給部）
５０  切断部（切断機構）
５３  切りくずボックス（収納部材）
５５  ガイド（支持機構）
５６  ガイド（支持機構）
６０  オーバーコート部
６１ａ  サーマルヘッド
７０  印字部（画像記録部）
７１ａ〜７３ａ  サーマルヘッド
８０  用紙巻取部
【図１】
2006082244.tif 000003
【図２】
2006082244.tif 000004
【図３】
2006082244.tif 000005
【図４】
2006082244.tif 000006
【図５】
2006082244.tif 000007
【図６】
2006082244.tif 000008
【図７】
2006082244.tif 000009
【図８】
2006082244.tif 000010
【図９】
2006082244.tif 000011
【図１０】
2006082244.tif 000012
【図１１】
2006082244.tif 000013